(57)【特許請求の範囲】
【請求項１】
織布工場に設置された複数の織機にそれぞれ織機コンピュータを設置し、前記織機コンピュータとホストコンピュータとを接続してネットワークを構成し、前記ホストコンピュータが前記織機コンピュータと通信することにより前記織機を管理する織布工場における織機のモニタリングシステムにおいて、
前記ネットワークにＤＨＣＰサーバを設置し、
前記ホストコンピュータは、前記織機コンピュータに割り当てる複数の固定ＩＰアドレスを管理するとともに、前記織布工場の織機の位置を表す織機レイアウト表を記憶しており、
前記織機コンピュータは、前記固定ＩＰアドレスが設定されていないときには前記ＤＨＣＰサーバに暫定ＩＰアドレスの取得要求信号を発信して前記ＤＨＣＰサーバから前記暫定ＩＰアドレスを取得するとともに、前記暫定ＩＰアドレスを用いて前記ホストコンピュータに前記固定ＩＰアドレスの割当要求信号を発信し、
前記ホストコンピュータは、前記割当要求信号を発信した前記織機コンピュータに前記固定ＩＰアドレスを割り当て、
前記ホストコンピュータは、前記割当要求信号を発信した全ての前記織機コンピュータへの前記固定ＩＰアドレスの割当完了後、前記織機コンピュータに割り当てられた前記固定ＩＰアドレスと前記織機レイアウト表との関連付けモードに移行するとともに、前記織機コンピュータに前記織機レイアウト表に基づき指定した順序での取得完了信号の発信を要求し、
前記織機コンピュータは、割り当てられた前記固定ＩＰアドレスを前記暫定ＩＰアドレスに置き換えて登録するとともに、前記織機コンピュータの取得完了スイッチが前記織機レイアウト表に基づき指定した順序に従って作業者により操作されたときに前記固定ＩＰアドレスを用いて前記ホストコンピュータに前記取得完了信号を発信し、
前記ホストコンピュータは、前記取得完了信号を受信すると前記織機コンピュータの前記固定ＩＰアドレスを前記順序に対応して前記織機レイアウト表と関連付けして記憶することを特徴とする織布工場における織機のモニタリングシステム。
【請求項２】
前記ホストコンピュータは前記織機レイアウト表への前記固定ＩＰアドレスの関連付けを完了すると、前記織機レイアウト表における特定の織機を指定することにより対応する前記織機の織機コンピュータに確認要求信号を発信し、前記確認要求信号を受信した前記織機の前記織機コンピュータに確認応答表示を表示させることを特徴とする請求項１に記載の織布工場における織機のモニタリングシステム。
【請求項３】
前記織機コンピュータは前記ホストコンピュータによる前記取得完了信号の要求に基づき前記織機コンピュータに設定されている前記取得完了スイッチを前記織機コンピュータに表示することを特徴とする請求項１又は請求項２に記載の織布工場における織機のモニタリングシステム。
【請求項４】
前記織機レイアウト表への前記固定ＩＰアドレスの割り当てが完了していない織機には、前記織機コンピュータあるいは前記ホストコンピュータに割り当てが完了していないことを表示することを特徴とする請求項１〜請求項３のいずれか１項に記載の織布工場における織機のモニタリングシステム。
【請求項５】
前記織布工場に設置された織機の内、一部の織機が変更された場合、前記ホストコンピュータの操作により前記織機レイアウト表で前記変更された織機を指定することにより、前記変更された織機の前記織機コンピュータと前記ホストコンピュータとの間で前記固定ＩＰアドレスの要求と取得を行い、前記変更された織機の前記取得完了スイッチを操作することにより前記変更された織機の前記織機コンピュータの前記固定ＩＰアドレスを前記織機レイアウト表と関連付けすることを特徴する請求項１又は請求項２に記載の織布工場における織機のモニタリングシステム。
【発明の詳細な説明】
【技術分野】
【０００１】
本願発明は、織布工場における織機のモニタリングシステムに関する。
【背景技術】
【０００２】
例えば、特許文献１には、織機に設置した織機コンピュータと集中管理室に設置した集中管理コンピュータとをネットワークにより接続した生産システムが開示されている。織機コンピュータ及び集中管理コンピュータは、中央処理装置（ＣＰＵ）、メモリ、入力装置、表示装置、外部記録装置、媒体駆動装置及びネットワーク接続装置等を備えている。
【０００３】
ネットワークは、例えば、ＬＡＮ（Ｌｏｃａｌ  Ａｒｅａ  Ｎｅｔｗｏｒｋ）で構成されている。織機コンピュータ及び集中管理コンピュータは、ネットワーク上での通信により制御データや稼動データの授受を行う。また、ネットワークで通信を行えるようにするために、織機コンピュータ及び集中管理コンピュータには通信アドレスが割り当てられている。
【０００４】
特許文献１には詳細な説明が無いが、ネットワークでは、一般的にＴＣＰ／ＩＰが使用されており、織機コンピュータには、通信アドレスとして固有のＩＰアドレスを割り当て、設定する必要がある。織布工場内にネットワークが構成された場合、織布工場内に設置された複数の織機にそれぞれ固有のＩＰアドレスが設定されなければならないが、織布工場におけるＩＰアドレスの設定は、作業者によって行われている。作業者は、例えば、集中管理コンピュータからプリントアウトされたＩＰアドレスリストを見ながら織機コンピュータ１台毎にＩＰアドレスを手入力し、設定していく。
【０００５】
また、集中管理コンピュータには、織布工場内の織機の配置状態を示す設置レイアウト表が作成され、保存されている。集中管理コンピュータと各織機の織機コンピュータとのデータの授受を正確に行うため、作業者は、織機コンピュータに設定されたＩＰアドレスを集中管理コンピュータの設置レイアウト表に関連付けする作業を集中管理コンピュータ及び個々の織機コンピュータの間で行う必要がある。
【先行技術文献】
【特許文献】
【０００６】
【特許文献１】特開２００５−３０１９１６号公報
【発明の概要】
【発明が解決しようとする課題】
【０００７】
特許文献１に開示された生産システムでは、リストのＩＰアドレスが織機コンピュータに正確に手入力されなければならず、また、各織機のＩＰアドレスが、集中管理コンピュータにおいて、設置レイアウト表に正しく関連付けされていなければならない。このため、作業者はＩＰアドレスを認識し、ミス無く入力しなければならないため、大きな時間と労力を必要とする。また、多くの織機コンピュータに異なるＩＰアドレスを入力するため、入力ミスも生じ易くなり、作業者には、さらに修正のための負担が掛かる。
【０００８】
本願発明は、織機コンピュータの固定ＩＰアドレスの設定とホストコンピュータの織機レイアウト表への固定ＩＰアドレスの関連付けとを容易に行うことを目的とする。
【課題を解決するための手段】
【０００９】
請求項１は、織布工場に設置された複数の織機にそれぞれ織機コンピュータを設置し、前記織機コンピュータとホストコンピュータとを接続してネットワークを構成し、前記ホストコンピュータが前記織機コンピュータと通信することにより前記織機を管理する織布工場における織機のモニタリングシステムにおいて、
前記ネットワークにＤＨＣＰサーバを設置し、
前記ホストコンピュータは、前記織機コンピュータに割り当てる複数の固定ＩＰアドレスを管理するとともに、前記織布工場の織機の位置を表す織機レイアウト表を記憶しており、
前記織機コンピュータは、前記固定ＩＰアドレスが設定されていないときには前記ＤＨＣＰサーバに暫定ＩＰアドレスの取得要求信号を発信して前記ＤＨＣＰサーバから前記暫定ＩＰアドレスを取得するとともに、前記暫定ＩＰアドレスを用いて前記ホストコンピュータに前記固定ＩＰアドレスの割当要求信号を発信し、
前記ホストコンピュータは、前記割当要求信号を発信した前記織機コンピュータに前記固定ＩＰアドレスを割り当て、
前記ホストコンピュータは、前記割当要求信号を発信した全ての前記織機コンピュータへの前記固定ＩＰアドレスの割当完了後、前記織機コンピュータに割り当てられた前記固定ＩＰアドレスと前記織機レイアウト表との関連付けモードに移行するとともに、前記織機コンピュータに前記織機レイアウト表に基づき指定した順序での取得完了信号の発信を要求し、
前記織機コンピュータは、割り当てられた前記固定ＩＰアドレスを前記暫定ＩＰアドレスに置き換えて登録するとともに、前記織機コンピュータの取得完了スイッチが前記織機レイアウト表に基づき指定した順序に従って作業者により操作されたときに前記固定ＩＰアドレスを用いて前記ホストコンピュータに前記取得完了信号を発信し、
前記ホストコンピュータは、前記取得完了信号を受信すると前記織機コンピュータの前記固定ＩＰアドレスを前記順序に対応して前記織機レイアウト表と関連付けして記憶することを特徴とする。
【００１０】
請求項１によれば、織布工場の作業者がホストコンピュータや織機コンピュータにＩＰアドレスを直接入力する必要がなく、織機コンピュータの固定ＩＰアドレスの設定、及び各織機コンピュータに設定された固定ＩＰアドレスとホストコンピュータの織機レイアウト表との関連付けを容易に行うことができる。従って、高度なネットワークシステムの知識を有する必要が無く、織布工場の作業者が各織機の固定ＩＰアドレスの設定と織機レイアウト表への関連付けを容易に行うことができる。
【００１１】
請求項２は、前記ホストコンピュータは前記織機レイアウト表への前記固定ＩＰアドレスの関連付けを完了すると、前記織機レイアウト表における特定の織機を指定することにより対応する前記織機の織機コンピュータに確認要求信号を発信し、前記確認要求信号を受信した前記織機の前記織機コンピュータに確認応答表示を表示させることを特徴とする。請求項２によれば、織機レイアウト表において特定の織機を指定するのみで、ホストコンピュータに表示された織機レイアウト表上の織機と織布工場内に設置された織機とが正しく関連付けされていることを簡単に確認することができる。
【００１２】
請求項３は、前記織機コンピュータは前記ホストコンピュータによる前記取得完了信号の要求に基づき前記織機コンピュータに設定されている前記取得完了スイッチを前記織機コンピュータに表示することを特徴とする。請求項３によれば、織布工場の織機とホストコンピュータの織機レイアウト表との関連付けの作業において、織機コンピュータに取得完了スイッチが表示されるため、作業者は取得完了スイッチを探す必要が無く、操作が容易である。
【００１３】
請求項４は、前記織機レイアウト表への前記固定ＩＰアドレスの割り当てが完了していない織機には、前記織機コンピュータあるいは前記ホストコンピュータに割り当てが完了していないことを表示することを特徴とする。請求項４によれば、織機レイアウト表への固定ＩＰアドレスの関連付けが完了していない織機に対して、織機コンピュータあるいは前記ホストコンピュータに完了していない織機であることが判る表示をすることにより、作業者に関連付けの操作を促すことができる。
【００１４】
請求項５は、前記織布工場に設置された織機の内、一部の織機が変更された場合、前記ホストコンピュータの操作により前記織機レイアウト表で前記変更された織機を指定することにより、前記変更された織機の前記織機コンピュータと前記ホストコンピュータとの間で前記固定ＩＰアドレスの要求と取得を行い、前記変更された織機の前記取得完了スイッチを操作することにより前記変更された織機の前記織機コンピュータの前記固定ＩＰアドレスを前記織機レイアウト表と関連付けすることを特徴とする。請求項５によれば、変更された織機に関しての操作のみで固定ＩＰアドレスと織機レイアウト表との関連付けを設定することができ、設定作業が容易である。
【発明の効果】
【００１５】
本願発明は、織機コンピュータの固定ＩＰアドレスの設定とホストコンピュータの織機レイアウト表への固定ＩＰアドレスの関連付けとを容易に行うことができる。
【図面の簡単な説明】
【００１６】
【図１】第１の実施形態におけるモニタリングシステムの全体構成を示すブロック図である。
【図２】織機レイアウト表を示す表示画面である。
【図３】固定ＩＰアドレスの取得完了スイッチの表示画面である。
【図４】第２の実施形態を示す織機レイアウト表の表示画面である。
【発明を実施するための形態】
【００１７】
（第１の実施形態）
第１の実施形態を図１〜図３に基づいて説明する。図１は織布工場１に設置されたモニタリングシステム２を示している。図１に示した織布工場１には、縦５列、横８列に配置された合計４０台の織機Ｒ０１〜Ｒ４０が長方形状を成すように設置されている。織布工場１の例えば、集中管理室（図示せず）には、織機Ｒ０１〜Ｒ４０を管理するためのホストコンピュータ（以下、ホストＰＣとする）３が設置され、織機Ｒ０１〜Ｒ４０には、それぞれ織機Ｒ０１〜Ｒ４０の稼動を制御、管理する織機コンピュータ（以下、織機ＰＣとする）４が設置されている。ホストＰＣ３及び織機ＰＣ４は、図示しないが、例えば、中央処理部（ＣＰＵ）、記憶部、入出力装置及びネットワーク接続装置等を備えている。また、ホストＰＣ３には表示部５（図２参照）が、織機ＰＣ４には表示部６（図３参照）が備えられている。
【００１８】
ホストＰＣ３と織機ＰＣ４とは、配線または無線で接続され、ネットワーク７を構成している。また、ネットワーク７には、ＤＨＣＰサーバ８が設置されている。ＤＨＣＰサーバ８は、ネットワーク７に接続する織機ＰＣ４に対して暫定ＩＰアドレスを自動的に発行する機能を有する。なお、ＤＨＣＰサーバ８は、実施形態のように、ネットワーク７に独立して設置する構成に限らず、ホストＰＣ３に組み込むことにより構成しても構わない。ネットワーク７は、ＴＣＰ／ＩＰを用いて通信するように構成され、ホストＰＣ３には、固有のＩＰアドレスが設定されている。
【００１９】
ホストＰＣ３は、複数の固定ＩＰアドレスを保存、管理しており、要求に応じて固定ＩＰアドレスを織機ＰＣ４へ割り当てる機能を有する。また、ホストＰＣ３は、織布工場１に設置された織機Ｒ０１〜Ｒ４０の位置をＲ０１〜Ｒ４０の識別番号で表示した織機レイアウト表９（図２参照）を作成し、織機レイアウト表９を表示部５に表示できるように設定し、記憶する機能を有している。
【００２０】
織機Ｒ０１〜Ｒ４０の各織機ＰＣ４には、固有の固定ＩＰアドレスが以下のようにして割り当てられ、設定される。織布工場１に織機Ｒ０１〜Ｒ４０の設置が完了すると、作業者は、例えば、織機Ｒ０１の電源ボタン（図示せず）を押下する。織機Ｒ０１の織機ＰＣ４は、設置時に初期化されており、固定ＩＰアドレスが設定されていないため、織機Ｒ０１の電源入力によりＤＨＣＰサーバ８に暫定ＩＰアドレスの取得要求信号を発信し、ＤＨＣＰサーバ８から自動的に暫定ＩＰアドレスを取得し、織機ＰＣ４に設定する。なお、暫定ＩＰアドレスの取得要求信号の発信は、電源ボタン押下後、任意のスイッチを作業者が操作することで行うようにしてもよい。織機ＰＣ４は、暫定ＩＰアドレスを取得することにより、ネットワーク７上での通信が可能となる。ＤＨＣＰサーバ８から割り当てられる暫定ＩＰアドレスは、一時的なもので、例えば、暫定ＩＰアドレスの取得後、織機Ｒ０１の電源を切ると自動的に消滅する。
【００２１】
織機Ｒ０１の織機ＰＣ４は取得した暫定ＩＰアドレスを用いてネットワーク７上のホストＰＣ３に通信し、固定ＩＰアドレスの割当要求信号を発信する。ホストＰＣ３は、割当要求信号を発信した織機Ｒ０１の織機ＰＣ４に固定ＩＰアドレスを割り当て、送信する。織機Ｒ０１の織機ＰＣ４は、割り当てられた固定ＩＰアドレスを受信し、先に設定されている暫定ＩＰアドレスに置き換えて登録する。なお、固定ＩＰアドレスは、ホストＰＣ３に管理された固有のＩＰアドレスとして織機ＰＣ４に設定される。
【００２２】
織機Ｒ０１の織機ＰＣ４と同様に、織機Ｒ０２〜織機Ｒ４０の電源ボタンを押下することにより、織機Ｒ０２〜織機Ｒ４０の各織機ＰＣ４は、ＤＨＣＰサーバ８から暫定ＩＰアドレスを取得する。また、織機Ｒ０２〜織機Ｒ４０の各織機ＰＣ４は、暫定ＩＰアドレスを用いてホストＰＣ３から固定ＩＰアドレスを取得し、登録する。
【００２３】
ホストＰＣ３では、織機レイアウト表９が予め作成され、記憶されている。ホストＰＣ３による織機Ｒ０１〜Ｒ４０の各織機ＰＣ４への固定ＩＰアドレスの割当が全て完了すると、作業者の操作により、ホストＰＣ３は各織機ＰＣ４の固定ＩＰアドレスと織機レイアウト表９との関連付けモードに移行する。ホストＰＣ３は、固定ＩＰアドレスの割当要求信号を発信した織機Ｒ０１〜織機Ｒ４０の各織機ＰＣ４に対して固定ＩＰアドレスの取得完了信号の発信を要求する。具体的には、ホストＰＣ３は、取得完了信号が織機レイアウト表９に基づいて指定した順序、例えば、図２の織機レイアウト表９に示された織機Ｒ０１から始まり、以下、織機Ｒ０２、織機Ｒ０３、…、織機Ｒ４０の順序で取得完了信号が発信されるように要求する。
【００２４】
各織機ＰＣ４の表示部６には、ホストＰＣ３における関連付けモードへの移行及び各織機ＰＣ４に対する固定ＩＰアドレスの取得完了信号の発信要求に基づき、図３に示す取得完了スイッチ１０の画面１１が一斉に表示される。固定ＩＰアドレスの取得完了信号の指定された発信順序は、ホストＰＣ３からプリントアウトされた織機レイアウト表９、あるいはタブレット端末に表示させた織機レイアウト表９により確認することができる。
【００２５】
作業者は、織機レイアウト表９に表示された順序に従い、織布工場１に設置されている織機Ｒ０１〜Ｒ４０の表示部６に表示されている取得完了スイッチ１０を操作する。例えば、指定順序の最初に該当する織機Ｒ０１の表示部６に表示されている画面１１の取得完了スイッチ１０を操作することにより、織機Ｒ０１の織機ＰＣ４は織機Ｒ０１に設定された固定ＩＰアドレスを用いて通信し、ホストＰＣ３に取得完了信号を発信する。
【００２６】
ホストＰＣ３では、織機Ｒ０１からの取得完了信号を受信すると、織機Ｒ０１の固定ＩＰアドレスを図２に示す織機レイアウト表９における織機Ｒ０１に関連付けし、ホストＰＣ３に記憶する。同様にして、指定順序に従った織機Ｒ０２〜Ｒ４０からの取得完了信号を受信すると、ホストＰＣ３は織機Ｒ０２〜Ｒ４０の各固定ＩＰアドレスを織機レイアウト表９における織機Ｒ０２〜Ｒ４０に関連付けし、記憶する。織機Ｒ０１〜Ｒ４０の固定ＩＰアドレスと織機レイアウト表９との関連付けにより、ホストＰＣ３は織機Ｒ０１〜Ｒ４０の制御及び稼動データに関する管理が可能となる。
【００２７】
織機Ｒ０１〜Ｒ４０の固定ＩＰアドレスと織機レイアウト表９との関連付けが完了すると、ホストＰＣ３を関連付け確認モードに移行し、関連付けが正しく行われたか否かの確認を行う。関連付けの確認は、織機レイアウト表９における織機Ｒ０１〜Ｒ４０の順に指定すると、ホストＰＣ３から各織機ＰＣ４に確認要求信号が発信され、対応する織機Ｒ０１〜Ｒ４０が確認応答表示としてタワーランプを点灯表示するように構成されている。例えば、織機レイアウト表９における織機Ｒ０１を指定すると、対応する織機Ｒ０１のタワーランプが点灯し、織機Ｒ０１の固定ＩＰアドレスが織機レイアウト表９に正しく関連付けされていることを確認できる。なお、織機Ｒ０１〜Ｒ４０における確認の表示は、タワーランプを単なる点灯でなく、点滅や特定色での表示に置き換えても良く、また、織機ＰＣ４の表示部６に表示させるように構成しても構わない。
【００２８】
第１の実施形態では、複数の織機Ｒ０１〜Ｒ４０における固定ＩＰアドレスの設定とホストＰＣ３における固定ＩＰアドレスと織機レイアウト表９との関連付けを、ＩＰアドレスを直接入力するなどの手間を掛けること無く、容易に行うことができる。
【００２９】
（第２の実施形態）
図４は第２の実施形態を示したもので、第１の実施形態と同一の構成については同一の符号を付し、詳細な説明を省略する。織布工場１に設置され、稼動される織機Ｒ０１〜Ｒ４０は、必要に応じて一部の織機を入れ替えたり、織機ＰＣ４の制御基板を取り替えたりする。例えば、織機Ｒ０７について、織機ＰＣ４の故障等により制御基板を取り替えた場合、あるいは織機Ｒ０７を新しい織機に入れ替えた場合、織機Ｒ０７はホストＰＣ３が管理する固定ＩＰアドレスを有しないため、ホストＰＣ３との通信が不能となる。
【００３０】
第２の実施形態は、織機Ｒ０１〜Ｒ４０の一部が変更された場合に、固定ＩＰアドレスの設定と織機レイアウト表９への関連付けを簡単に行えるようにしたものである。第２の実施形態では、図４に示した織機レイアウト表９における織機Ｒ０７に関連付けされていた織布工場１内の織機Ｒ０７（図１参照）を例にして説明する。稼動中の織機Ｒ０７が停止され、電源を切断された状態で、織機ＰＣ４の制御基板が新しい制御基板に取り替えられるか、織機Ｒ０７が新しい織機に入れ替えられる。制御基板が取り替えられた場合及び入れ替えられた新しい織機が新規購入品である場合、織機ＰＣ４は固定ＩＰアドレスを有していない。また、入れ替えられた新しい織機が他工場で稼動していた場合、他工場での通信のためのＩＰアドレスを有しているため、設定されているＩＰアドレスを予め削除しておく。
【００３１】
ホストＰＣ３では、表示部５に織機レイアウト表９を表示し、特定の織機Ｒ０７の関連付けモードに移行され、織機レイアウト表９における織機Ｒ０７に色付けや点滅表示等のマーキングを施し、関連付けの対象位置を明示しておく。織機Ｒ０７では、電源ボタン（図示せず）を押下することにより織機ＰＣ４に電源が入力されるため、第１の実施形態と同様に、ＤＨＣＰサーバ８から暫定ＩＰアドレスを取得し、暫定ＩＰアドレスを用いてホストＰＣ３に固定ＩＰアドレスの割当要求信号を発信する。ホストＰＣ３では、割当要求信号を受信し、ホストＰＣ３が管理する固定ＩＰアドレスを織機Ｒ０７に割り当て、織機ＰＣ４に送信する。
【００３２】
織機Ｒ０７の織機ＰＣ４は、暫定ＩＰアドレスに代えて取得した固定ＩＰアドレスを登録し、設定した後、織機ＰＣ４に備えられている固定ＩＰアドレスの取得完了スイッチ１０を表示部６で検索して表示部６に表示する。作業者が取得完了スイッチ１０を操作することにより、織機ＰＣ４は取得完了信号をホストＰＣ３に発信する。ホストＰＣ３では、織機レイアウト表９における織機Ｒ０７がマーキングされ、織機Ｒ０７からの取得完了信号を待つ状態にあるため、取得完了信号を受信すると、取得完了信号を発信した織機Ｒ０７の固定ＩＰアドレスを織機レイアウト表９における織機Ｒ０７に関連付けし、記憶する。
【００３３】
固定ＩＰアドレスの関連付けが完了した場合、織機レイアウト表９における織機Ｒ０７のマーキングを解除しておく。なお、織機Ｒ０７が何らかの理由で固定ＩＰアドレスの取得や織機レイアウト表９への関連付けを完了していない場合は、織機レイアウト表９における織機Ｒ０７のマーキングをそのままにしておくとともに、織機Ｒ０７の織機ＰＣ４の表示部６に関連付けが完了していないことを明示しておくことが好ましい。
【００３４】
第２の実施形態では、織機Ｒ０１〜Ｒ４０の中で、１台あるいは数台の織機が現状から変更された場合、変更された織機のみについて個別に固定ＩＰアドレスの取得と織機レイアウト表９への関連付けを行うことができるため、設定作業を容易に行うことができる。
【００３５】
本願発明は、前記した各実施形態の構成に限定されるものではなく、本願発明の趣旨の範囲内で種々の変更が可能であり、次のように実施することができる。
【００３６】
（１）第１の実施形態において、織機Ｒ０１〜Ｒ４０の一部、例えば、織機Ｒ１０が他の織機に置き換えられた場合、あるいは織機Ｒ１０の織機ＰＣ４が初期化されたような場合、織機レイアウト表９との関連付けが消滅し、ホストＰＣ３では管理不能となる。このような場合、織機Ｒ１０の織機ＰＣ４の表示部６に、あるいはホストＰＣ３の織機レイアウト表９に、織機レイアウト表９との関連付けが完了していないことを表示しておくことが好ましい。
【００３７】
（２）第２の実施形態において、変更された織機を織機レイアウト表９から選択し、マーキングする作業は、ホストＰＣ３の表示部５で選択する場合に限らず、タブレット端末や変更された織機に隣接する織機の織機ＰＣ４の表示機に、織機レイアウト表９を表示して変更された織機を選択するように構成しても良い。この場合、変更した織機の近辺で関連付け等の設定を行うことができ、便利である。
【符号の説明】
【００３８】
１  織布工場
２  モニタリングシステム
３  ホストコンピュータ（ホストＰＣ）
４  織機コンピュータ（織機ＰＣ）
５、６  表示部
７  ネットワーク
８  ＤＨＣＰサーバ
９  織機レイアウト表
１０  取得完了スイッチ
１１  画面
【図１】
0005884793.tif 000002
【図２】
0005884793.tif 000003
【図３】
0005884793.tif 000004
【図４】
0005884793.tif 000005